(57)【要約】      （修正有）【課題】鍋本体と取っ手が変形しても外れにくい取っ手を有するすき焼き等の鍋、取っ手が取替えやすいすき焼き鍋等の鍋を提供する。【解決手段】鍋本体２と、差し込み部を有する取っ手３と、差し込み穴が形成されて鍋本体に固定される取付け部５により構成され、取っ手３の差し込み部が差し込み穴に挿通されて取っ手保持具９により係止される鍋であって、取っ手３の差し込み部には環状の溝が形成され、取っ手保持具９はばね性を有し、該取っ手３の環状の溝が取っ手保持具９に嵌合することによって取っ手３が係止される。【選択図】図１
0003147219.tif 000002
【実用新案登録請求の範囲】
【請求項１】
鍋本体２と、差し込み部４を有する取っ手３と、差し込み穴６が形成されて鍋本体２に固定される取付け部５により構成され、前記取っ手３の差し込み部４が前記差し込み穴６に挿通されて取っ手保持具９により係止される鍋において、前記取っ手３の差し込み部４には環状の溝１２が形成され、前記取っ手保持具９はばね性を有し、該取っ手３の環状の溝１２が前記取っ手保持具９に嵌合することによって取っ手３が係止されることを特徴とする鍋。
【請求項２】
前記取付け部５に、前記差し込み穴６に連通し下部が前記取付け部５を貫通する略垂直の保持具用穴８が形成され、該保持具用穴８に取っ手保持具９が配設されたことを特徴とする請求項１に記載の鍋。
【請求項３】
前記取付け部５の上部下面が傾斜又は階段状の形状とされ、前記取っ手保持具９と前記保持具用穴８との結合部が前記保持具用穴８下部に設定されることにより、前記取っ手保持具９の取り外しを容易にしたことを特徴とする請求項２に記載の鍋。
【請求項４】
前記取っ手３が前記取っ手保持具９により係止される状態において、前記差し込み部４の先端と差し込み穴奥壁１４に一定の隙間を設けたことを特徴とする請求項１ないし３のいずれかに記載の鍋。
【請求項５】
鍋本体２と取っ手３と取付け部５により構成される鍋であって、
（１）２つの取付け部５の下部が鍋本体２の外側に固定されていて、かつ、上部が鍋本体２の縁の上に出ていて、
（２）前記取付け部５の上部に差し込み穴６が横方向に形成され、
（３）前記取っ手３の両端には差し込み穴６に差込むための外折れの差し込み部４が設けられ、
（４）前記差し込み部４には環状の溝１２が形成され、
（５）前記差し込み部４を取付け部５の差し込み穴６に差し込めば、該差し込み穴６の内部にあるばね性を有する取っ手保持具９が前記環状溝１２を締め付けて取っ手が係止されることにより、取っ手３が外れにくく、かつ、取っ手３のガタつきが低減されることを特徴とする鍋。
【請求項６】
逆Ｌ字状の取付け部５の上部下面に開口部を下向きにした保持具用穴８を形成し、該保持具用穴８は差し込み穴６と連通し、かつ前記取っ手保持具９が保持具用穴８の内部に収納され、前記取付け部５の垂直面が鍋本体の外側と固定されていることを特徴とする請求項５に記載の鍋。
【請求項７】
２つの取付け部５が上部に各々２の差し込み穴６を有し、かつ、２つの取っ手３も各々の端部に差し込み部４を有することを特徴とする請求項５又は６に記載の鍋。
【請求項８】
取っ手３を差し込んで取っ手保持具９により保持された際に、差し込み部４と差し込み部周囲の差し込み穴６の内壁との間及び/又は差し込み部４の先端と差し込み穴の奥壁１４との間に隙間を設けることを特徴とする請求項５ないし７のいずれかに記載の鍋。
【請求項９】
取っ手保持具９の厚みが環状溝１２の幅より小さいことを特徴とする請求項５ないし８のいずれかに記載の鍋。
【請求項１０】
前記取っ手保持具９の上部が前記環状溝１２と嵌合し、前記取っ手保持具９の下部には保持具用穴８の内壁との結合穴を形成していることを特徴とする請求項５ないし９のいずれかに記載の鍋。
【考案の詳細な説明】
【技術分野】
【０００１】
本考案は、すき焼き鍋を含む鍋に関して、特に取っ手を有する鍋に関する。
【背景技術】
【０００２】
すき焼き鍋の商品は色々と存在する。持ちやすくするため、鍋本体と鍋本体の両側に手持ち部を備えた鍋は一般的である。しかし、両手で鍋の両側の手持ち部を持たなければならないため、使用上、非常に不便である。そのため、取っ手を有するすき焼き鍋が登場した。通常、取っ手を有するすき焼き鍋というものは、鍋本体にアーチ型の取っ手を備えている。取っ手は鍋本体の外側からリベットによって締め付けられており、取っ手を用いることにより、片手でも鍋を移動させることが可能になった。
しかし、取っ手を有するすき焼き鍋にも欠点が存在している。鍋は、周知のように、高温下、取っ手も本体も変形する。ほとんどのアーチ型の取っ手は長く、外部より変形力をうける。取っ手はこんな状況においてガタつく。鍋本体が何度も変形することによって、取り付け部での取っ手がガタつく。こうなると、すき焼き鍋をさげる時に、取っ手部分のがたつきによって、鍋が落下する可能性が生じる。災厄な結果になるかもしれない。すなわち、その変形によって、取っ手が鍋本体より外れやすくなるという危険性があった。もし、使用中に外れた場合には、大火傷ということになりかねない。又、取り付け部はリベットで鍋本体と固定されているから、取り付け部か、鍋本体か、どちらかに故障があれば、鍋全体を廃却しなけれぱならないため、コストが増える。
【０００３】
上記のように、従来のすき焼き鍋等の鍋は、改良をしなければならない点がある。取っ手の姿勢を横倒しにならないにように維持して、取っ手が高温になることを防止する考案がある（特許文献１，特許文献２）。しかし、いずれも取っ手を円滑に回動させることができない。
又、取っ手を立てた状態のときは取っ手が脱落しにくく、寝かせた状態のときは容易に取り外しできる考案がある（特許文献３）。しかし、寝かせた状態のときに、意図せずに外れてしまう場合がある。
【０００４】
【特許文献１】実公告Ｓ３４−１５６６５号公報
【特許文献２】実公告Ｓ３５―２８０５７号公報
【特許文献３】実公告Ｓ３４−５６７０号公報
【考案の開示】
【考案が解決しようとする課題】
【０００５】
本考案が解決しようとする課題は、上述の問題点を解決すべく、鍋本体と取っ手が変形しても外れにくい取っ手を持ったすき焼き鍋等の鍋、取っ手が取替えやすいすき焼き鍋等の鍋を提供することである。
【課題を解決するための手段】
【０００６】
上記目的を達成するために、本考案による技術提案とは次の内容である。
【０００７】
本考案の第１の観点により、鍋本体２と、差し込み部４を有する取っ手３と、差し込み穴６が形成されて鍋本体２に固定される取付け部５により構成され、前記取っ手３の差し込み部４が前記差し込み穴６に挿通されて取っ手保持具９により係止される鍋において、前記取っ手３の差し込み部４には環状の溝１２が形成され、前記取っ手保持具９はばね性を有し、該取っ手３の環状の溝１２が前記取っ手保持具９に嵌合することによって取っ手３が係止されることを特徴とする鍋が提供される。
【０００８】
又、上記第１の観点の鍋において、前記取付け部５に、前記差し込み穴６に連通し下部が前記取付け部５を貫通する略垂直の保持具用穴８が形成され、該保持具用穴８に取っ手保持具９が配設されることが好ましい態様である。
【０００９】
又、上記第１の観点の鍋において、前記取付け部５の上部下面が傾斜又は階段状の形状とされ、前記取っ手保持具９と前記保持具用穴８との結合部が保持具用穴８下部に設定されることにより、前記取っ手保持具９の取り外しを容易にしたことが好ましい態様である。
【００１０】
又、上記第１の観点の鍋において、前記取っ手３が前記取っ手保持具９により係止される状態において、差し込み部４の先端と差し込み穴奥壁１４に一定の隙間を設けたことが好ましい態様である。
【００１１】
次に、本考案の第２の観点により、鍋本体２と取っ手３と取付け部５により構成される鍋であって、
（１）２つの取付け部５の下部が鍋本体２の外側と固定されていて、かつ、上部が鍋本体２の縁の上に出ていて、
（２）前記取付け部５の上部に差し込み穴６が横方向に形成され、
（３）前記取っ手３の両端には差し込み穴６に差込むための外折れの差し込み部４が設けられ、
（４）前記差し込み部４には環状の溝１２が形成され、
（５）前記差し込み部４を取付け部５の差し込み穴６に差し込めば、該差し込み穴６の内部にあるばね性を有する取っ手保持具９が前記環状溝１２を締め付けて取っ手が係止されることにより、取っ手３が外れにくく、かつ、取っ手３のガタつきが低減されることを特徴とする鍋が提供される。
【００１２】
又、上記第２の観点の鍋において、逆Ｌ字状の取付け部５の上部下面に開口部を下向きにした保持具用穴８を形成し、該保持具用穴８は差し込み穴６と連通し、かつ前記取っ手保持具９が保持具用穴８の内部に収納され、前記取付け部５の垂直面が鍋本体の外側と固定されていることが好ましい態様である。
【００１３】
又、上記第２の観点の鍋において、２つの取付け部５が上部に各々２の差し込み穴６を有し、かつ、２つの取っ手３も各々の端部に差し込み部４を有することが好ましい態様である。
【００１４】
又、上記第２の観点の鍋において、取っ手３を差し込んで取っ手保持具９により保持された際に、差し込み部４と差し込み部周囲の差し込み穴６の内壁との間及び/又は差し込み部４の先端と差し込み穴奥壁１４との間に隙間を設けることが好ましい態様である。
【００１５】
又、上記第２の観点の鍋において、取っ手保持具９の厚みが環状溝１２の幅より小さいことが好ましい態様である。
【００１６】
又、上記第２の観点の鍋において、取っ手保持具９の上部が前記環状溝１２と嵌合し、前記取っ手保持具９の下部には保持具用穴８の内壁との結合穴を形成していることが好ましい態様である。
【００１７】
取っ手が外れにくいすき焼きなべは、鍋本体とアーチ型の取っ手があり、その特徴は次の通りである。当すき焼き鍋には、取っ手の取り付け部が二つあり、取り付け部の下部が鍋本体の外側と固定されていて、その上部が鍋本体の縁の上にでている。そして、取り付け部の上部に横方向作られた羞し込み穴６がある。取っ手の両喘には差し込み穴６への挿入用の外折れの差し込み部４があり、この差し込み部４には環状溝１２がついている。この差し込み部４を取っ手の取付け部５の羞込穴６に差し込めば、差し込み穴６の内部にあるばね性を有する取っ手保持具９がその環状溝１２を締め付け、取っ手のガタつきを抑える。
【００１８】
前記取付け部５の上部下面に開口した保持具用穴８があり、差し込み穴とつながって、しかも前記取っ手保持具が保持具用穴の内部に隠れ、この取付け部の垂直面が鍋本体の外側と固定される。取っ手保持具は晋通は金属製で、縁のバリが比較的に鋭い。ただし、金属製には限定されない。本構造により、保持具が取り付け部の保持具用穴の中に隠れて、鍋洗浄の際に、手を傷つけることがないし、鍋全体の外観を崩すをこともないので、鍋の外形が簡潔ですっきりと見える。
【００１９】
前記二つの取り付け部の上部には、ともに差し込み穴があり、二つの取っ手にも、各々に差し込み部がある。２セットとすることにより、鍋を動かすときの安全性を強める。
【００２０】
前記差し込み穴６の奥壁と差し込み部の先端部分の間には隙間がある。取っ手が熱くなった場合、取っ手の両端に外へ変形する力が生ずるが、差し込み穴６の奥壁と差し込み部の先端部分の間には隙間があるため、それが、取っ手の変形に余裕の空間となり、取っ手の変形するカが直接に取付部に伝わることを防ぎ、取り付け部が鍋本体と直接繋がるところ所にカを受けないことを確保する。
【００２１】
前記の取っ手保持具の上部が前記環状溝を把持し、締め付ける部分である。取っ手保持具の下部には穴があって保持具と保持具用穴内壁とが結合されている。その結合をツールを使って解放することにより、保持具を取り外すことができる。鍋本体、取っ手とばねの各部品を別々にして、各部品を替えることができるのである。
【考案の効果】
【００２２】
今までの技術と比ぺると、本考案の優れたところは次の通りである。高温の下での変形があっても、一部が大きくなっても、鍋に物がいっぱい入っていても、本体が変形しても、取っ手が外力を受けても、前記のばね性を有する取っ手保持具の役割で、鍋本体、取り付け部と取っ手が一体になり、しかも取っ手の両端の差し込み部の取り付け部に対する作用力は主に上向きなので、取っ手は取り付部から外れにくく、使用中の安全性を強めた。取っ手保持具は差し込み部の環状溝と嵌合されるので、一層、はずれにくく、ガタつかない。
【００２３】
又、取っ手を替えなければならない時、取っ手保持具を取ると、取っ手と鍋本体が分かれるため、取っ手の交換が容易で、コストも下がる。特に、取っ手保持具と保持用具穴とは保持用具穴の下部で結合されているので、取り外しは極めて容易である。
【００２４】
差し込み部と差し込み穴の奥壁の間には、高温により差し込み部が膨張しても届かない距離の空間が確保されている。したがって、高温による変形を懸念することもない。
【考案を実施するための最良の形態】
【００２５】
以下、添付図を参照して本考案の実施例について詳しく説明する。
【実施例１】
【００２６】
図１〜図６に示したことは本考案を実施するための―つの最良の形態であり、取っ手が外れにくいすき焼き鍋は、鍋本体２とアーチ型の取っ手３と取付け部５により構成される。鍋本体２は、今までにあった各種のボディーを使うことができる。
【００２７】
図１は本考案に係る鍋の全体図である。鍋本体２と２本のアーチ型の取っ手３と左右の取付け部５より構成されている。取り付け部５は鍋本体の鍋縁より上に位置する上部に取っ手を係合するための差し込み穴６を有し、下部の垂直部分によって鍋本体と結合されている。又、取付け部５の上部下面には保持用具穴８が開口している。        
【００２８】
さらに、図２ないし図６Ｂにより詳細に説明する。図２は取付け部周辺断面図であり、図３は取付け部と取っ手の断面図である。２つの取付部５は逆Ｌ字形状となっており、垂直面７に穴が形成されており、リベットでその垂直面と鍋本体の外側とが固定されている。取り付け郎の上部は鍋本体２の上面より上に出ていて、その取り付け部５の上部に横方向の差し込み穴６が２つ並列して形成されている。２本の取っ手３は両端に差し込み穴６と適合する外折れの差し込み部４を各々有している。しかもこの差し込み部４の周囲面中に環状の締め付け用環状溝１２があって、差し込み部４は差し込み穴に差し込まれた後、差し込み穴に設置されている１枚のばね性を有した取っ手保持具９に環状溝１２が嵌合され、締め付けられて、差し込み部４のガタつきは制御される。差し込み穴６の奥壁と差し込み部の先端部分との間は一定距離の隙間が確保されている。前記取っ手保持具９の厚みは環状溝１２の幅よりやや小さく形成されている。
【００２９】
図４は考案に係る鍋の取付け部の斜視図、詳しくは差し込み部の環状溝１２が取っ手保持具９に嵌合されている斜面図である。取っ手保持具９の拡大図は図６Ａ及び図６Ｂに示されている。又、取っ手３の環状溝は図５Ａに示されている。取っ手保持具９の上部が前記環状溝１２との嵌合部１０であり、取っ手保持具９はばね性を有しているのでしっかりと環状溝を把持することができる。さらに、取っ手が上方向、横方向等に移動する外力が加わる場合でも、取っ手保持具９のばね性によって取っ手（環状溝）の動きは緩和される。取っ手の環状溝は嵌合される保持具の上部枠内で回転可能となっており、取っ手の回転運動を妨げない。取っ手保持具９の下部には穴が形成されている。
【００３０】
又、前記取付け部状部下面に下向きに開口した保持具用穴８があり、図５Ｂが示すように、保持具用穴８と差し込み穴６とが繋がっている。図４が示すように、取っ手保持具９は保持具用穴８の内部に隠れているが、下部は外部から視認可能である。この下部に保持具用穴の内壁と結合するための穴が形成されていて、ネジにより保持具用穴と結合されている。したがって、このネジを緩めて取っ手保持具を取り外すことは極めて容易であり、取っ手又は鍋本体のいずれかのみを交換することも極めて容易である。
【００３１】
上述のように、外力作用に対しては、ばね性を有する取っ手保持具９の作用で取っ手３をしっかり保持するため、鍋本体２、取り付け部５と取っ手３が一体になり、取っ手３が取り付け部５から外れることなく、鍋全体を持ち上げることができる。
【産業上の利用可能性】
【００３２】
本考案に係る鍋は、実用性に富み産業上の利用可能性は高いものである。
【図面の簡単な説明】
【００３３】
【図１】本考案に係る鍋の全体図である。
【図２】本考案に係る鍋の取付け部周辺断面図である。
【図３】本考案に係る鍋の取付け部と取っ手の断面図である。
【図４】本考案に係る鍋の取付け部の斜視図である。
【図５Ａ】本考案に係る鍋の取っ手の断面図である。
【図５Ｂ】本考案に係る鍋の取付け部の断面拡大図である。
【図６Ａ】本考案に係る保持具の斜視図である。
【図６Ｂ】本考案に係る保持具の正面図である。
【符号の説明】
【００３４】
１      鍋
２      鍋本体
３      取っ手
４      差し込み部
５      取付け部
６      差し込み穴
７      取付け部垂直面
８      保持具用穴
９      取っ手保持具
１０    取っ手保持具嵌合部
１１    取っ手保持具結合部
１２    環状溝
１３    取付け部下面
１４    差し込み穴奥壁
１５    隙間
【図１】
0003147219.tif 000003
【図２】
0003147219.tif 000004
【図３】
0003147219.tif 000005
【図４】
0003147219.tif 000006
【図５Ａ】
0003147219.tif 000007
【図５Ｂ】
0003147219.tif 000008
【図６Ａ】
0003147219.tif 000009
【図６Ｂ】
0003147219.tif 000010